(57)【特許請求の範囲】
【請求項１】
第一のポット式バーナ及び第二のポット式バーナに共通の１個の定油面器を介して液体燃料を供給する方式の燃焼装置であって、該定油面器にはその燃料流入口を開閉する開閉弁を備え、該開閉弁によって定油面器の油面を一定レベルに制御するとともに、第一のポット式バーナに設けた第一の複数の開口における最も低い位置にある開口及び第二のポット式バーナに設けた第二の複数の開口における最も低い位置にある開口より低い位置に、定油面器の油面を設定した燃焼装置において、定油面器の外部に第一及び第二の各ポット式バーナにそれぞれ連なる第一の立上管及び第二の立上管を設け、各立上管に定油面器から燃料を吸い上げる第一のポンプ及び第二のポンプの各吐出側を接続するとともに、第一及び第二の各立上管と定油面器とを接続する第一の戻管及び第二の戻管を設け、第二のポット式バーナに連なる第二の立上管には、該第二のポット式バーナの最も低い位置にある開口よりも低い位置に第二の戻管の一端を接続させ、該第二の戻管の他端を第二のポット式バーナの内の最も低い位置にある開口よりも低い位置で油面より上方の定油面器内部に連通開口させ、且つ第一のポット式バーナに連なる第一の立上管には、前記第二の戻管の定油面器内部の開口位置より高い位置に第一の戻管の一端を接続させるとともに、該第一の戻管の他端を前記第二の戻管の定油面器内部の開口位置より低い位置で定油面器内部に連通開口させたことを特徴とする燃焼装置。
【発明の詳細な説明】
【０００１】
【発明の属する技術分野】
本発明は、１個の定油面器を介して灯油その他の液体燃料を２個のポット式バーナに供給する方式の燃焼装置に関する。
【０００２】
【従来の技術】
ポット式バーナに定油面器を介して液体燃料を供給するものであって、該定油面器にはその燃料流入口を開閉する開閉弁を備え、該開閉弁によって定油面器の油面をポット式バーナに設けた開口（空気孔）の内、最も低い位置にある開口より低い位置に設定するようにしたものは、実開昭５８ー１４２５１７号公報に知られ、しかも２個のポット式バーナを備える燃焼装置も知られている。
【０００３】
しかし、上記燃焼装置は、各ポット式バーナに対応する各定油面器を備えているため、その設置に場所を取るという不具合がある。
【０００４】
そこで、本出願人は、１個の共通の定油面器を介して２つのポット式バーナに燃料を供給するものを先に提案した（実願平５−５４８８３号）。
【０００５】
【発明が解決しようとする課題】
２つのポット式バーナに共通の定油面器から燃料を供給する場合、一方のポット式バーナが未着火または失火等で消火したとき、燃料の供給が続くと、燃料はポット式バーナ内に溜まり始める。そこで、戻管を介して燃料を定油面器側に戻すことも提案されている。しかし、定油面器に戻すと、その燃料が他方のポット式バーナ側に流れる恐れがある。これを防止するために、定油面器の油面高さ位置を、ポット式バーナに設けた開口（空気孔）の内の最も低い位置にある開口より充分低く設定しなければならないという制約を受ける不具合がある。そこで、本発明はかゝる不具合のない燃焼装置を提供することを課題とする。
【０００６】
【課題を解決するための手段】
本発明は、かゝる課題を達成するため、第一のポット式バーナ及び第二のポット式バーナに共通の１個の定油面器を介して液体燃料を供給する方式の燃焼装置であって、該定油面器にはその燃料流入口を開閉する開閉弁を備え、該開閉弁によって定油面器の油面を一定レベルに制御するとともに、第一のポット式バーナに設けた第一の複数の開口における最も低い位置にある開口及び第二のポット式バーナに設けた第二の複数の開口における最も低い位置にある開口より低い位置に、定油面器の油面を設定した燃焼装置において、定油面器の外部に第一及び第二の各ポット式バーナにそれぞれ連なる第一の立上管及び第二の立上管を設け、各立上管に定油面器から燃料を吸い上げる第一のポンプ及び第二のポンプの各吐出側を接続するとともに、第一及び第二の各立上管と定油面器とを接続する第一の戻管及び第二の戻管を設け、第二のポット式バーナに連なる第二の立上管には、該第二のポット式バーナの最も低い位置にある開口よりも低い位置に第二の戻管の一端を接続させ、該第二の戻管の他端を第二のポット式バーナの内の最も低い位置にある開口よりも低い位置で油面より上方の定油面器内部に連通開口させ、且つ第一のポット式バーナに連なる第一の立上管には、前記第二の戻管の定油面器内部の開口位置より高い位置に第一の戻管の一端を接続させるとともに、該第一の戻管の他端を前記第二の戻管の定油面器内部の開口位置より低い位置で定油面器内部に連通開口させたことを特徴とする。
【０００７】
【作用】
本発明の作用を図２に基づいて説明すると、次の通りである。
例えば、一方の第一のポット式バーナＸが何等かの原因で未着火または失火等で消火したときに燃料を供給し続けると、該ポット式バーナＸに燃料が溜まり始めるが、第一の燃料戻管８を設けたため、燃料は開口（空気孔）からバーナＸの外部に溢れ出す前に定油面器１に戻る。
【０００８】
また、第一の戻管８は第二の戻管９の開口位置Ｌ２  より低い位置Ｌ４  で定油面器１内部に開口しているため、第二の戻管９を介して第二のポット式バーナＹに逆流することがない。
【０００９】
他方、第二のポット式バーナＹが、同様に未着火または失火等で消火したときは、燃料は空気孔から溢れ出す前に定油面器１に戻る。
【００１０】
即ち、溢れ出た燃料が第一の戻管８を通じて第一のポット式バーナＸ側に逆流しようとしても、第一のポット式バーナＸに連通する第一の戻管８は、第二のポット式バーナＹに連通する第二の戻管９の定油面器１内部の開口高さ位置Ｌ２  より高い位置Ｌ３  で第一の立上管４に接続しているので、溢れ出た燃料は第一のポット式バーナＸの内部までは達しない。
【００１１】
【発明の実施の形態】
以下、図面を参照しながら本発明の実施の形態を説明する。
符号１は、２つの第一及び第二のポット式バーナＸ，Ｙに燃料を供給する１個の共通の定油面器を示し、該２つのポット式バーナＸ，Ｙと定油面器１とは、共通の筐体２内に収容して設けられている。
【００１２】
該定油面器１には、その燃料流入口１ａを開閉する開閉弁３を備え（図５に示す）、該開閉弁３によって該定油面器１の油面Ｌ1を一定レベルに制御し、この油面Ｌ1は、両ポット式バーナＸ，Ｙにそれぞれ設けた第一及び第二の複数の開口としての複数の空気孔Ｘ1，Ｙ1の内、最も低い位置にある開口（空気孔）Ｘ1-a及び開口（空気孔）Ｙ1-aより低い位置に設定する。
【００１３】
該定油面器１の外部に、図２並びに図４、図６に示すごとく、各ポット式バーナＸ，Ｙに連なる第一及び第二の立上管４，５を設け、各立上管４，５の上部に定油面器１から燃料を吸い上げる第一及び第二のポンプ６，７の吐出側を接続し、両立上管４，５と定油面器１とは第一及び第二の戻管８，９で接続する。
【００１４】
これを説明すると、第二のポット式バーナＹに連なる第二の立上管５に、図２に示すように、第二のポット式バーナＹの最も低い位置にある空気孔Ｙ１−ａ  よりも低い位置で第二の戻管９の一端を接続させ、該戻管９の他端は、定油面器１の油面Ｌ１  より上方で且つ第二のポット式バーナＹの最も低い位置にある空気孔Ｙ１−ａ  よりも低い位置Ｌ２  で定油面器１内部に連通開口する。
【００１５】
更に、他方の第一のポット式バーナＸに連なる第一の立上管４に、前記第二の戻管９の開口位置Ｌ２  より高い位置Ｌ３  で第一の戻管８の一端を連通させるとともに、該戻管８の他端を前記戻管９の定油面器１内部の開口位置Ｌ２  より低い位置Ｌ４  で、定油面器１内部に連通開口させる。
【００１６】
前記第二の立上管５は、図４に示すごとく、一端に定油面器１に連なる開口5a-1を備え、他端にポット式バーナＹに連なる開口5a-2を備えたほぼ水平に配設した第二の水平管５ａと、該水平管５ａから立上がる第二の垂直管５ｂとで構成し、該垂直管５ｂの上端から前記第二のポンプ７の吐出口側に連なる第二のパイプ７ａを挿入して第二の立上管５内に燃料を供給するようにした。
【００１７】
前記第一の立上管４は、図６に示すごとく、第一のポット式バーナＸと連なる開口４ａー１を備えたほぼ水平に配設した第一の水平管４ａと、該水平管４ａから立上がる第一の垂直管４ｂとで構成し、該垂直管４ｂの上端から前記第一のポンプ６の吐出口側に連なる第一のパイプ６ａを挿入して第一の立上管４内に燃料を供給するようにした。
【００１８】
前記第二の戻管９は、図４に示すごとく、前記水平管５ａの一部を活用し、該水平管５ａとこれと連通させて定油面器１内に立上がらせた上下方向の管９ａとで構成した。
【００１９】
前記第一の戻管８は、図６に示すごとく、前記垂直管４ｂの一部を活用し、該垂直管４ｂの中間位置と連なる別の垂直管８ａと定油面器１内に立上がる上下方向の立上管８ｂとで構成した。
【００２０】
図１には、第一のポット式バーナＸの燃焼熱を放熱器１０ａ等で放熱する方式の暖房機１０と、床暖房用放熱器１１との間に熱媒液を循環させる第二のポット式バーナＹの燃焼筒に設けた熱交換器１２を加熱する方式の温水ボイラー１３とを前記共通の筐体２内に収納させた燃焼装置を示し、第一及び第二の各ポット式バーナＸ，Ｙは、第一及び第二の給気通路１４，１５と第一及び第二の排気通路１６，１７を介して共通の給排気トップ１８に接続して給排気される。
【００２１】
なお、符号１９，２０は各給気通路１４，１５に介在させた送風ファンを示し、２１は床暖房用放熱器１１と熱交換器１２との循環路２２に介在させたポンプを示す。また、前記開閉弁３は、図５に示すごとく、フロート２３によって開閉するフロート弁とした。
【００２２】
ところで、給排気トップ１８に逆風等が作用した場合、一時的に第一及び第二のポット式バーナＸ，Ｙ内の圧力が高まり、これに押されて燃料が各ポット式バーナＸ，Ｙ内に流れ込まなくなる恐れがある。これを防ぐため、定油面器１の油面上並びに第一及び第二の立上管４，５の油面上に、接続管２４を介して前記ポット式バーナＸ，Ｙに圧力をかけるようにした。
【００２３】
なお、前記第一及び第二の複数の開口として空気孔Ｘ１−ａ  ，Ｙ１−ａ  を示したが、第一及び第二のポット式バーナＸ，Ｙの空気孔Ｘ１−ａ  ，Ｙ１−ａ  より低い位置に点火ヒータ等の挿入孔等の開口又は隙間がある場合はこれを開口とし、これを基準として定油面器１の油面を設定することになる。
【００２４】
前記第一の戻管８の定油面器１内部の開口高さ位置は、図６中の鎖線イで示すごとく、定油面器１の油面下であっても良い。
【００２５】
次に、本発明の燃焼装置の動作を説明する。
【００２６】
通常の燃焼状態では、第一及び第二のポンプ６，７によって定量づつ送り出される燃料で、第一及び第二のポット式バーナＸ並びにＹは燃焼が継続する。
【００２７】
しかし、何等かの原因で一方のポット式バーナＸが未着火または失火等で消火したとき、燃料は該ポット式バーナＸ内に溜まり始めるが、前述の関係位置に第一の戻管８が介在するため、該ポット式バーナＸに設けた空気孔Ｘ１−ａ  から燃料が溢れ出す前に該戻管８を介して定油面器１に燃料が戻される。更に、第二のポット式バーナＹに連なる第二の戻管９の定油面器１内部の開口高さ位置Ｌ２  は、ポット式バーナＸに連通する第一の戻管８の定油面器１内部の開口高さ位置Ｌ４  より高いため、第二の戻管９を介してポット式バーナＹに逆流することはない。
【００２８】
また、他方のポット式バーナＹが未着火または失火等で消火したとき、燃料は該ポット式バーナＹ内に溜まり始める。しかし、第二のポット式バーナＹに設けた開口Ｙ１−ａ  から燃料が溢れ出す前に、燃料は第二の戻管９を介して定油面器１に戻る。この場合、第一のポット式バーナＸに連なる第一の戻管８の定油面器１内部の開口高さ位置Ｌ４  が第二の戻管９の定油面器１内部の開口位置Ｌ２  より低いため、溢れた燃料は第一の戻管８を介して第一のポット式バーナＸ側に逆流しようとするが、第一のポット式バーナＸに連なる戻管８の第一の立上管４との接続高さ位置Ｌ３  が、第二の戻管９の定油面器１内部の開口位置Ｌ２  より高いため、戻された燃料がポット式バーナＸに逆流することはない。
【００２９】
【発明の効果】
この発明は、以上説明したように、第一のポット式バーナが未着火または失火等で消火したとき、燃料が該ポット式バーナ内に溜まり始める。しかし、第一のポット式バーナに設けた開口（最も低い位置にある空気孔）を介して燃料が溢れ出す前に、燃料は第一の戻管を介して定油面器に戻る。しかも、定油面器内部の第一の戻管の開口高さ位置は、定油面器内部の第二の戻管の開口高さ位置より低いため、第二の戻管を介して第二のポット式バーナに燃料が逆流するすることはない。
【００３０】
また、第二のポット式バーナが未着火または失火等で消火したとき、燃料は該ポット式バーナ内に溜まり始める。しかし、第二のポット式バーナに設けた開口（最も低い位置にある空気孔）を介して燃料が溢れ出す前に、燃料は第二の戻管を介して定油面器に戻る。しかも、溢れた燃料は第一の戻管を介して第一のポット式バーナ側に逆流しようとするが、第一のポット式バーナに連通する第一の戻管は、第二の戻管の定油面器内部の開口高さ位置より高い位置で第一の立上管４に接続しているため、溢れ出た燃料は第一のポット式バーナまでは達しない。
【図面の簡単な説明】
【図１】本発明実施の形態の１例を示す線図
【図２】実施の形態を示す截断側面図
【図３】定油面器の平面図
【図４】図３のＡ−Ａ線截断面図
【図５】図３のＢ−Ｂ線截断面図
【図６】図３のＣーＣ線截断側面図
【図７】定油面器の蓋を取除いた状態の平面図
【符号の説明】
１  定油面器                      ３  開閉弁
４  第一の立上管                  ５  第二の立上管
６  第一のポンプ                  ７  第二のポンプ
８  第一の戻管                    ９  第二の戻管
Ｘ  第一のポット式バーナ          Ｙ  第二のポット式バーナ
Ｘ１  第一の複数の開口                            Ｙ１  第二の複数の開口
Ｘ１−ａ  最も低い位置にある開口            Ｙ１−ａ  最も低い位置にある開口
Ｌ１  油面                          Ｌ２  開口位置
【図１】
0003597339.tif 000002
【図２】
0003597339.tif 000003
【図３】
0003597339.tif 000004
【図４】
0003597339.tif 000005
【図５】
0003597339.tif 000006
【図６】
0003597339.tif 000007
【図７】
0003597339.tif 000008